(57)【特許請求の範囲】
【請求項１】
折り畳み可能移動端末であって、
フレキシブルディスプレイスクリーンと、
第一のハウジングと第二のハウジングを含むハウジングアセンブリであって、前記フレキシブルディスプレイスクリーンが第一のハウジングと第二のハウジングに設置され、前記第一のハウジングに間隔がある第一のギャップが設置される、ハウジングアセンブリと、
第一のスライド板、第一の回転軸と第一の接続棒を含む第一の回転アセンブリであって、前記第一のスライド板が少なくとも部分的に第一のハウジング内に収容され且つ第一のハウジングに対してスライド及び伸縮することができ、前記第一の回転軸が第一のスライド板に設置され、前記第一の接続棒の第一の端部が第一の回転軸にスライド可能且つヒンジで接続され、前記第一の接続棒の第二の端部が第一のハウジングに回転可能に接続され、前記第一のスライド板に第一のハウジングの第一のギャップに対応する第一の歯が設置される、第一の回転アセンブリと、
第二のスライド板、第二の回転軸と第二の接続棒を含む第二の回転アセンブリであって、前記第二のスライド板が少なくとも部分的に第二のハウジング内に収容され且つ第二のハウジングに対してスライド及び伸縮することができ、前記第二の回転軸が第二のスライド板に設置され、前記第二の接続棒の第一の端部が第二の回転軸にスライド可能且つヒンジで接続され、前記第二の接続棒の第二の端部が第二のハウジングに回転可能且つ接続される、第二の回転アセンブリと
を備えることを特徴とする、前記折り畳み可能移動端末。
【請求項２】
前記第二のハウジングに間隔がある第二のギャップが設置され、
前記第二のスライド板に、第二のギャップに対する第二の歯が設置されることを特徴とする
請求項１に記載の折り畳み可能移動端末。
【請求項３】
前記第一のスライド板が第一の基板を含み、前記第一の歯が第一の基板に形成され、
前記第二のスライド板が第二の基板を含み、前記第二の歯が第二の基板に形成されることを特徴とする
請求項２に記載の折り畳み可能移動端末。
【請求項４】
前記第一のハウジングが互いに結合する第一のフロントハウジングと第一のリアハウジングを含み、前記第二のハウジングが互いに結合する第二のフロントハウジングと第二のリアハウジングを含み、
前記フレキシブルディスプレイスクリーンが第一のフロントハウジングと第二のフロントハウジングに設置され、
前記第一のハウジングの第一のギャップが第一のフロントハウジングに設置され、前記第二のハウジングの第二のギャップが第二のフロントハウジングに設置され、
前記第一の基板が第一のフロントハウジングと第一のリアハウジングの間に位置し、前記第二の基板が第二のフロントハウジングと第二のリアハウジングの間に位置することを特徴とする
請求項３に記載の折り畳み可能移動端末。
【請求項５】
前記折り畳み可能移動端末はさらに第一の押圧シ−トを含み、前記第一の押圧シ−トが第一のフロントハウジングに接続され、前記第一の押圧シ−トが前記第一の接続棒の位置を制限して前記第一の接続棒を第一の押圧シ−トと第一のフロントハウジングの間に位置させることを特徴とする
請求項４に記載の折り畳み可能移動端末。
【請求項６】
前記折り畳み可能移動端末はさらに第二の押圧シ−トを含み、前記第二の押圧シ−トが第二のフロントハウジングに接続され、前記第二の押圧シ−トが前記第二の接続棒の位置を制限して前記第二の接続棒を第二の押圧シ−トと前記第二のフロントハウジングの間に位置させることを特徴とする
請求項４に記載の折り畳み可能移動端末。
【請求項７】
前記折り畳み可能移動端末はさらに支持ストリップを含み、前記第一の歯と第二の歯の間に隙間があり、前記支持ストリップが少なくとも部分的に前記隙間に充填されることを特徴とする
請求項３に記載の折り畳み可能移動端末。
【請求項８】
前記第一の歯の第一のハウジングから遠く離れた一端が相互に接続して第一の支持ビームを形成し、前記第二の歯の第二のハウジングから遠く離れた一端が相互に接続して第二の支持ビームを形成し、前記支持ストリップが少なくとも部分的に第一の支持ビームと第二の支持ビームに置かれることを特徴とする
請求項７に記載の折り畳み可能移動端末。
【請求項９】
前記第一の回転アセンブリはさらに第一のスライドブロックを含み、前記第一のスライドブロックが第一の回転軸に嵌着され、前記第一の接続棒の第一の端部は第一のスライドブロックに回転可能に接続され、
前記第二の回転アセンブリはさらに第二のスライドブロックを含み、前記第二のスライドブロックが第二の回転軸に嵌着され、前記第二の接続棒の第一の端部は第二のスライドブロックに回転可能に接続されることを特徴とする
請求項２に記載の折り畳み可能移動端末。
【請求項１０】
前記第一の回転アセンブリはさらに第一のブラケットを含み、前記第二の回転アセンブリはさらに第二のブラケットを含み、前記第一のブラケットが第一のスライド板に固定して接続され、前記第一の回転軸は第一のブラケットに穿設され、前記第一のスライドブロックは第一のブラケットと第一のスライド板の間に設置され、前記第二のブラケットが第二のスライド板に固定して接続され、前記第二の回転軸は第二のブラケットに穿設され、前記第二のスライドブロックは第二のブラケットと第二のスライド板の間に設置されることを特徴とする
請求項９に記載の折り畳み可能移動端末。
【請求項１１】
前記折り畳み可能移動端末はさらに第一のスライドブロック、第二のスライドブロックと連動する連動部材を含み、前記連動部材に第一の貫通孔と第二の貫通孔が設置され、前記第一の回転軸は第一の貫通孔を貫通し、前記第二の回転軸は第二の貫通孔を貫通することを特徴とする
請求項９に記載の折り畳み可能移動端末。
【発明の詳細な説明】
【技術分野】
【０００１】
本発明は電子機器技術分野に関し、特に折り畳み可能移動端末に関する。
【背景技術】
【０００２】
フレキシブルディスプレイスクリーンが曲げ可能な性能を有するため、フレキシブルディスプレイスクリーンを搭載したインテリジェントモバイル端末、例えばスマートフォンは、折り畳み状態と展開状態の間の切り替えが可能になる。移動端末は、展開状態にある時にユーザに面している側とユーザから離れて面している側の長さが等しいが、折り畳み状態にある時に、移動端末自体の厚さにより元の長さが等しい両側に差があるため、折り畳み可能移動端末は、異なる状態の両側の長さの違いの変化に適応する必要があることが要求される。移動端末がヒンジ式伸縮アセンブリにより折り畳み状態と展開状態の切り替えを実現することが知られているが、ヒンジ式伸縮アセンブリは異なる状態において寸法的に変化するギャップが生じ、フレキシブルディスプレイスクリーンの安定な支持に不利である。
【発明の概要】
【発明が解決しようとする課題】
【０００３】
本発明が解決しようとする一つの技術的問題は、どのように折り畳み可能移動端末に異なる状態でより安定な支持をフレキシブルディスプレイスクリーンに提供させるかである。
【課題を解決するための手段】
【０００４】
折り畳み可能移動端末であって、
フレキシブルディスプレイスクリーンと、
第一のハウジングと第二のハウジングを含むハウジングアセンブリであって、前記フレキシブルディスプレイスクリーンが第一のハウジングと第二のハウジングに設置され、前記第一のハウジングに間隔がある第一のギャップが設置される、ハウジングアセンブリと、
第一のスライド板、第一の回転軸と第一の接続棒を含む第一の回転アセンブリであって、前記第一のスライド板が少なくとも部分的に第一のハウジング内に収容され且つ第一のハウジングに対してスライド及び伸縮することができ、前記第一の回転軸が第一のスライド板に設置され、前記第一の接続棒の第一の端部が第一の回転軸にスライド可能且つヒンジで接続され、前記第一の接続棒の第二の端部が第一のハウジングに回転可能に接続され、前記第一のスライド板に第一のハウジングの第一のギャップに対応する第一の歯が設置される、第一の回転アセンブリと、
第二のスライド板、第二の回転軸と第二の接続棒を含む第二の回転アセンブリであって、前記第二のスライド板が少なくとも部分的に第二のハウジング内に収容され且つ第二のハウジングに対してスライド及び伸縮することができ、前記第二の回転軸が第二のスライド板に設置され、前記第二の接続棒の第二の端部が第二の回転軸にスライド可能且つヒンジで接続され、前記第二の接続棒の第二の端部が第二のハウジングに回転可能に接続される、第二の回転アセンブリとを備える。
【０００５】
本発明の一つの実施例の一つの技術的効果は、ハウジングと回転アセンブリに、マッチングしている歯とギャップを設置することにより、回転アセンブリとハウジングの間の隙間を断片化し、大きな面積の隙間を回避し、フレキシブルディスプレイスクリーンへの支持の安定性を確保することができることである。
【図面の簡単な説明】
【０００６】
【図１】本発明の一つの実施例による展開状態にある折り畳み可能移動端末の斜視構造図である。
【図２】図１に示す折り畳み可能移動端末の分解図である。
【図３】図１に示す折り畳み可能移動端末の別の角度からの分解図である。
【図４】本発明の一つの実施例による展開状態にある折り畳み可能移動端末内の折り畳み機構の斜視構造図である。
【図５】図４に示す折り畳み機構の正面図である。
【図６】図４に示す折り畳み機構の一部の構造を除去した斜視構造図である。
【図７】図４に示す折り畳み機構の分解図である。
【図８】図７における一部の構造のさらなる分解図である。
【図９】図７における一部の構造の別の角度からの分解図である。
【図１０】本発明の一つの実施例による折り畳み可能移動端末のフレキシブルディスプレイスクリーンを除去した斜視構造図である。
【図１１】図１０に示す構造の一部の正面図である。
【図１２】図１１における線Ａ−Ａの断面図である。
【図１３】図１０に示す構造の断面図であり、且つ視角が背面である。
【図１４】図１１に示す構造の折り畳み機構における部分の素子を除去した概略図である。
【図１５】図１４の背面図である。
【図１６】折り畳み機構における弾性シートの構造図である。
【図１７】装飾ブロックの構造図である。
【図１８】装飾ブロックの別の視角からの構造図である。
【図１９】本発明の一つの実施例による折り畳み状態にある折り畳み可能移動端末の斜視構造図である。
【図２０】図１９に示す折り畳み可能移動端末のフレキシブルディスプレイスクリーンを除去した斜視構造図である。
【図２１】図４に示す折り畳み状態にある折り畳み機構の斜視構造図である。
【図２２】図２１に示す折り畳み機構の正面図である。
【図２３】本発明の一つの実施例による展開状態にある折り畳み可能移動端末の一部の構造の断面図である。
【図２４】本発明の一つの実施例による半分展開状態（又は半折り畳み状態）にある折り畳み可能移動端末の一部の構造の断面図である。
【図２５】本発明の一つの実施例による折り畳み状態にある折り畳み可能移動端末の断面図である。
【発明を実施するための形態】
【０００７】
図１、図２、図３と図４に示すように、本発明の一つの実施例による折り畳み可能移動端末は、フレキシブルディスプレイスクリーン１０、折り畳み機構２０とハウジングアセンブリ３０を備える。ハウジングアセンブリ３０は第一のハウジング３１と第二のハウジング３２を含み、第一のハウジング３１と第二のハウジング３２の間に折り畳み機構２０が接続され、フレキシブルディスプレイスクリーン１０は第一のハウジング３１と第二のハウジング３２に設置される。図１に示すように、折り畳み可能移動端末は展開状態にあり、第一のハウジング３１、第二のハウジング３２は折り畳み機構２０に対して対称する。図１９に示すように、第一のハウジング３１、第二のハウジング３２が折り畳み機構２０に対して回転して完全な折り畳み状態にある場合、フレキシブルディスプレイスクリーン１０は移動端末の外側に位置する。図１に示すように、展開状態にある場合、ハウジングアセンブリ３０のフレキシブルディスプレイスクリーン１０に向かう側の延伸長さ（図１におけるＸ軸方向の寸法）がフレキシブルディスプレイスクリーン１０から離れて面する側の延伸長さ（図１のＸ軸方向の寸法）と同じであり、図１９に示すように、ハウジングアセンブリ３０はそれ自体の厚さ（図１のＹ軸方向の寸法）により、折り畳み状態にある時に、フレキシブルディスプレイスクリーン１０に向かう側の延伸長さがフレキシブルディスプレイスクリーン１０から離れて面する側の延伸長さよりも大きく、折り畳み機構２０を設置することにより、第一のハウジング３１と第二のハウジング３２は展開状態と折り畳み状態の切り替えを行う時に生じる長さの違いに適応することができる。
【０００８】
前記第一のハウジング３１は互いに結合する第一のフロントハウジング３１１と第一のリアハウジング３１２を含み、前記第二のハウジング３２は互いに結合する第二のフロントハウジング３１１と第二のリアハウジング３１２を含む。結合方式は、ネジロック、接着、溶接などであってもよい。前記フレキシブルディスプレイスクリーン１０は第一のフロントハウジング３１１と第二のフロントハウジング３２１に設置される。前記フレキシブルディスプレイスクリーン１０の表示エリアは展開状態において矩形状又は丸角矩形状とすることができる。第一のフロントハウジング３１１と第一のリアハウジング３１２はＹ軸方向に一定の間隔を有し、同様に、第二のフロントハウジング３２１と第二のリアハウジング３２２はＹ軸方向にも一定の間隔を有し、この間隔が電源モジュール、通信モジュールなどの部品を配置するためのスペースを提供し、同時に折り畳み機構２０が第一のハウジング３１、第二のハウジング３２に対してスライド及び伸縮するために必要なスペースを提供する。
【０００９】
第一のハウジング３１と第二のハウジング３２はＸ軸方向にも一定の間隔を有し、折り畳み機構２０は第一のハウジング３１と第二のハウジング３２の間のＸ軸方向の間隔内に設置され、且つ折り畳み機構２０の少なくとも部分の構造が第一のハウジング３１と第二のハウジング３２内に収容される。第一のハウジング３１と第二のハウジング３２の間のＸ軸方向の間隔は、第一のハウジング１、第二のハウジング３２が折り畳み機構２０の周りに回転する過程に変化し、したがって第一のハウジング３１、第二のハウジング３２が折り畳み機構２０の周りに回転する過程に、折り畳み機構２０は第一のハウジング３１と第二のハウジング３２の内に異なる程度で引き込まれる。同時に図４と図５を参照すると、折り畳み機構２０は、第一の回転アセンブリ５０と第二の回転アセンブリ６０を含む。第一の回転アセンブリ５０は第一のハウジング３１に接続され、第一の回転アセンブリ５０は少なくとも部分的に第一のハウジング３１内に収容され且つ第一のハウジング３１に対してスライド及び伸縮することができ、第二の回転アセンブリ６０は第二のハウジング３２に接続され、第二の回転アセンブリ６０は少なくとも部分的に第二のハウジング３２内に収容され且つ第二のハウジング３２に対してスライド及び伸縮することができ、第一のハウジング３１に対する第一の回転アセンブリ５０のスライド及び伸縮と第二のハウジング３２に対する第二の回転アセンブリ６０のスライド及び伸縮により、第一のハウジング３１と第二のハウジング３２は展開状態と折り畳み状態の切り替えを行う時に生じる長さの違いに適応することができる。
【００１０】
一つの実施例では、第一の回転アセンブリ５０と第二の回転アセンブリ６０の構造が同じであり、且つ第一の回転アセンブリ５０と第二の回転アセンブリ６０が第一の回転アセンブリ５０と第二の回転アセンブリ６０の間の中軸線Ｉ−Ｉ（図５）に沿って対称的に分布し、第一の回転アセンブリ５０と第二の回転アセンブリ６０の対称的な設置により、中軸線Ｉ−Ｉに沿った第一のハウジング３１と第二のハウジング３２の対称的な開閉を達成することができる。
【００１１】
同時に図４、図５、図６と図７を参照すると、前記第一の回転アセンブリ５０は第一のスライド板５１、第一の回転軸５３と第一の接続棒５４を含む。前記第一の回転軸５３が第一のスライド板５１に設置され、前記第一の接続棒５４の第一の端部５４１が第一の回転軸５３にスライド可能且つヒンジで接続され、前記第一の接続棒５４の第二の端部５４２が第一のハウジング３１に回転可能に接続される。前記第一のスライド板５１は少なくとも部分的に第一のハウジング３１内に収容され且つ第一のハウジング３１に対してスライド及び伸縮することができる。第一のハウジング３１と第二のハウジング３２が対称的に開閉する過程に、前記第一のスライド板５１と第一の回転軸５３は一緒に第一のハウジング３１に対してスライド及び伸縮し、第一の接続棒５４の第二の端部５４２は第一のハウジング３１に対して回転し、第一の接続棒５４の第一の端部５４１は第一の回転軸５３にスライドし、同時に第一の回転軸５３に対して回転する。第一のハウジング３１内への第一のスライド板５１の収容程度の変化により、第一のハウジング３１と第二のハウジング３２の対称的な開閉の過程に生じる長さの違いに対応する。
【００１２】
図２と図３に示す実施例では、第一のスライド板５１には２つの第一の回転軸５３と２つの第一の接続棒５４が設置され、そして第一のスライド板５１のＺ軸方向の中央位置に上下対称的に設置される。他のいくつかの実施例では、第一の回転軸５３と第一の接続棒５４の数が一つ又は複数であってもよく、異なる数の第一の回転軸５３と第一の接続棒５４はいずれも第一のハウジング３１に対する第一のスライド板５１のスライド及び伸縮を実現することができる。
【００１３】
同時に図４、図５、図６と図７を参照すると、前記第二の回転アセンブリ６０は第二のスライド板６１、第二の回転軸６３と第二の接続棒６４を含む。前記第二の回転軸６３が第二のスライド板６１に設置され、前記第二の接続棒６４の第一の端部６４１が第二の回転軸６３にスライド可能且つヒンジで接続され、前記第二の接続棒６４の第二の端部６４２が第二のハウジング３２に回転可能に接続される。前記第二のスライド板６１は少なくとも部分的に第二のハウジング３２内に収容され且つ第二のハウジング３２に対してスライド及び伸縮することができる。第一のハウジング３１と第二のハウジング３２が対称的に開閉する過程に、前記第二のスライド板６１と第二の回転軸６３は第二のハウジング３２に対してスライド及び伸縮し、第二の接続棒６４の第二の端部６４２は第二のハウジング３２に対して回転し、第二の接続棒６４の第一の端部６４１は第二の回転軸６３にスライドし、同時に第二の回転軸６３に対して回転する。第二のハウジング３２内への第二のスライド板６１の収容程度の変化により、第一のハウジング３１と第二のハウジング３２の対称的な開閉の過程に生じる長さの違いに対応する。
【００１４】
図２と図３に示す実施例では、第二のスライド板６１には２つの第二の回転軸６３と２つの第二の接続棒６４が設置され、そして第二のスライド板６１のＺ軸方向の中央位置に上下対称的に設置される。他のいくつかの実施例では、第二の回転軸６３と第二の接続棒６４の数が一つ又は複数であってもよく、異なる数の第二の回転軸６３と第二の接続棒６４はいずれも第二のハウジング３２に対する第二のスライド板６１のスライド及び伸縮を実現することができる。
【００１５】
同時に図８と図９を参照すると、一つの実施例では、前記折り畳み機構２０はさらに第一の回転軸５３と第二の回転軸６３を接続する連動部材２２を含み、前記連動部材２２に第一の貫通孔２２１と第二の貫通孔２２２が設置され、前記第一の回転軸５３は第一の貫通孔２２１を貫通し、前記第二の回転軸６３は第二の貫通孔２２２を貫通する。連動部材２２は第一の接続棒５４の第一の端部５４１と第二の接続棒６４の第一の端部６４１と連動し、即ち連動部材２２の接続により、第一の回転軸５３での第一の接続棒５４の第一の端部５４１のスライドは第二の回転軸６３での第二の接続棒６４の第一の端部６４１のスライドを駆動することができ、逆にも同様である。
【００１６】
連動部材２２は、第一の回転軸５３にスライド可能且つヒンジで接続された第一の接続棒５４と第二の回転軸６３にスライド可能且つヒンジで接続された第二の接続棒６４の運動を同期させることができ、即ち、第一のハウジング３１に対する第一のスライド板５１のスライド及び伸縮と第二のハウジング３２に対する第二のスライド板６１のスライド及び伸縮を同期させることができ、第一のハウジング３１と第二のハウジング３２の対称的な開閉をより良く達成することができる。連動部材２２は金属材料で作られてもよいし、プラスチック材料で作られてもよい。
【００１７】
他の実施例では、連動部材２２の機能は他の構造によって実現されてもよく、例えば第一の接続棒５４と第一の回転軸５３のスライド及びヒンジ接続を実現するための素子と第二の接続棒６４と第二の回転軸６３のスライド及びヒンジ接続を実現するための素子が一体に設置され、一体に設置された、スライド及びヒンジ接続を実現するための素子も第一の回転軸５３にスライド可能且つヒンジで接続された第一の接続棒５４と第二の回転軸６３にスライド可能且つヒンジで接続された第二の接続棒６４の運動を同期させることができる。
【００１８】
同時に図７、図８、図９を参照すると、一つの実施例では、前記第一の回転アセンブリ５０はさらに第一のスライドブロック５２を含み、第一のスライドブロック５２により第一の接続棒５４と第一の回転軸５３のスライド及びヒンジ接続を実現する。前記第一のスライド板５２は第一の回転軸５３にスライドして嵌着され、前記第一の接続棒５４の第一の端部５４１は第一のスライドブロック５２に回転可能に接続される。
【００１９】
一つの実施例では、前記第一のスライドブロック５２は２つのスリーブ５２１、スリーブ５２１の間に接続された接続アーム５２２を含み、前記第一の回転軸５３は第一のスライドブロック５２のスリーブ５２１を貫通し、第一のスライドブロック５２は第一の回転軸５３にスライドすることができるだけでなく、第一の回転軸５３に対して回転することができる。前記第一の接続棒５４の第一の端部５４１は第一のスライドブロック５２の接続アーム５２２に回転可能に接続される。さらに、前記第一のスライドブロック５２の接続アーム５２２に第一の位置決め穴５２３が設置され、前記第一の接続棒５４の第一の端部５４１に第一の位置決めカラム５４３が設置され、第一の位置決めカラム５４３は第一の位置決め孔５２３に挿入される。
【００２０】
前記第二の回転アセンブリ６０はさらに第二のスライドブロック６２を含み、第二のスライドブロック６２により第二の接続棒６４と第二の回転軸６３のスライド及びヒンジ接続を実現する。前記第二のスライド板６２は第二の回転軸６３にスライドして嵌着され、前記第二の接続棒６４の第一の端部６４１は第二のスライドブロック６２に回転可能に接続される。
【００２１】
一つの実施例では、前記第二のスライドブロック６２は２つのスリーブ６２１、スリーブ６２１の間に接続された接続アーム６２２を含み、前記第二の回転軸６３は第二のスライドブロック６２のスリーブ６２１を貫通し、第二のスライドブロック６２は第二の回転軸６３にスライドすることができるだけでなく、第二の回転軸６３に対して回転することができる。前記第二の接続棒６４の第一の端部６４１は第二のスライドブロック６２の接続アーム６２２に回転可能に接続される。さらに、前記第二のスライドブロック６２の接続アーム６２２に第二の位置決め穴６２３が設置され、前記第二の接続棒６４の第一の端部６４１に第二の位置決めカラム６４３が設置され、第二の位置決めカラム６４３は第二の位置決め孔６２３に挿入される。
【００２２】
一つの実施例では、前記連動部材２２は前記第一の貫通孔２２１が設置された第一のアーム部２２３と前記第二の貫通孔２２２が設置された第二のアーム部２２４を含み、前記第一のアーム部２２３が第一のスライドブロック５２の２つのスリーブ５２１の間に設置され、前記第二のアーム部２２４が第二のスライドブロック６２の２つのスリーブ６２１の間に設置され、前記第一の回転軸５３は第一の貫通孔２２１を貫通し、前記第二の回転軸６３は第二の貫通孔２２２を貫通する。連動部材２２は第一のスライドブロック５２と第二のスライドブロック６２の接続媒体として、第一の回転軸５３での第一のスライドブロック５２のスライドと第二の回転軸６３での第二のスライドブロック６２のスライドを同期させることができる。
【００２３】
図４、図５、図６と図７に示すように、一つの実施例では、前記第一の回転アセンブリ５０はさらに第一のブラケット５６を含み、前記第一の回転軸５３は第一のブラケット５６によって第一のスライド板５１に設置される。さらに、前記第一のブラケット５６はネジロックにより第一のスライド板５１に固定されてもよい。前記第一の回転軸５３は第一のブラケット５６に穿設され、前記第一のスライドブロック５２は第一のブラケット５６と第一のスライド板５１の間に設置される。第一のブラケット５６を設置することにより、第一のスライドブロック５２、第一の接続棒５４の第一の端部５４１及び第一の回転軸５３の間の相対運動を第一のブラケット５６と第一のスライド板５１によって挟まれたスペース内に制限させ、第一の接続棒５４の第一の端部５４１が第一のスライドブロック５２から外されることを防止することができる。
【００２４】
前記第一の接続棒５４の第二の端部５４２と第一のハウジング３１の回転接続の実現方式は第一の接続棒５４の第二の端部５４２が第一のフロントハウジング３１１に回転可能に接続されること、又は第一の接続棒５４の第二の端部５４２が第一のリアハウジング３１２に回転可能に接続されること、又は第一の接続棒５４の第二の端部５４２が同時に第一のフロントハウジング３１１、第一のリアハウジング３１２に回転可能に接続されることであってもよい。一つの実施例では、図８、図９と図１１に示すように、前記第一のフロントハウジング３１１に第一の接続穴３１３が設置され、前記第一の接続棒５４の第二の端部５４２に第一の接続カラム５４４に設置され、第一の接続カラム５４４は第一の接続穴３１３に挿入される。さらに、図１３と図１５に示すように、前記第一の回転アセンブリ５０はさらに第一の押圧シ−ト５５を含み、前記第一の押圧シ−ト５５が第一のフロントハウジング３１１に接続され、前記第一の押圧シ−ト５５が前記第一の接続棒５４を制限して前記第一の接続棒５４を第一の押圧シ−ト５５と第一のフロントハウジング３１１の間に位置させる。
【００２５】
図４、図５、図６と図７に示すように、一つの実施例では、前記第二の回転アセンブリ６０はさらに第二のブラケット６６を含み、前記第二の回転軸６３は第二のブラケット６６によって第二のスライド板６１に設置される。さらに、前記第二のブラケット６６はネジロックにより第二のスライド板６１に固定されてもよい。前記第二の回転軸６３は第二のブラケット６６に穿設され、前記第二のスライドブロック６２は第二のブラケット６６と第二のスライド板６１の間に設置される。第二のブラケット６６を設置することにより、第二のスライドブロック６２、第二の接続棒６４の第一の端部６４１及び第二の回転軸６３の間の相対運動を第二のブラケット６６と第二のスライド板６１によって挟まれたスペース内に制限させ、第二の接続棒６４の第一の端部６４１が第二のスライドブロック６２から外されることを防止することができる。
【００２６】
前記第二の接続棒６４の第二の端部６４２と第二のハウジング３２の回転接続の実現方式は第二の接続棒６４の第二の端部６４２が第二のフロントハウジング３２１に回転可能に接続されること、又は第二の接続棒６４の第二の端部６４２が第二のリアハウジング３２２に回転可能に接続されること、又は第二の接続棒６４の第二の端部６４２が同時に第二のフロントハウジング３２１、第二のリアハウジング３２２に回転可能に接続されることであってもよい。一つの実施例では、図８、図９と図１１に示すように、前記第二のフロントハウジング３２１に第二の接続穴３２３が設置され、前記第二の接続棒６４の第二の端部６４２に第二の接続カラム６４４が設置され、第二の接続カラム６４４は第二の接続穴３２３に挿入される。さらに、図１３と図１５に示すように、前記第二の回転アセンブリ６０はさらに第二の押圧シ−ト６５を含み、前記第二の押圧シ−ト６５が第二のフロントハウジング３２１に接続され、前記第二の押圧シ−ト６５が前記第二の接続棒６４を制限して前記第二の接続棒６４を第二の押圧シ−ト６５と前記第二のフロントハウジング３２１の間に位置させる。
【００２７】
図８と図９に示すように、前記折り畳み機構２０はさらに第一の回転軸５３と第二の回転軸６３の両端に設置された軸スリーブ２４をさらに含む。軸スリーブ２４は第一の回転軸５３を第一のブラケット５６に固定し、同時に第二の回転軸６３を第二のブラケット６６に固定する。第一のブラケット５６、第二のブラケット６６の数が第一の回転軸５３、第二の回転軸６３の数と同じである。一つの実施例では、第一のブラケット５６、第二のブラケット６６の数がいずれも２つであり、各第一のブラケット５６は第一のスライド板５１のＺ軸方向の対応する端部に設置され、各第二のブラケット６６は第二のスライド板６１のＺ軸方向の対応する端部に設置される。
【００２８】
一つの実施例では、図４と図７に示すように、前記折り畳み機構２０はさらに支持ストリップ２６を含み、支持ストリップ２６が第一の回転アセンブリ５０と第二の回転アセンブリ６０の間に設置される。支持ストリップ２６はフレキシブルディスプレイスクリーン１０を支持することに用いられる。支持ストリップ２６は、第一のスライド板５１と第二のスライド６１の隙間の間に設置されるように、Ｚ軸方向に一定の延伸長さを有することができる。
【００２９】
第一のブラケット５６と第二のブラケット６６が設置された実施例では、支持ストリップ２６はさらに第一のブラケット５６と第二のブラケット６６の隙間の間に延伸して設置されてもよい。前記支持ストリップ２６は第一のスライド板５１、第二のスライド６１、第一のブラケット５６、第二のブラケット６６、第一のフロントハウジング３１１、第二のフロントハウジング３２１と一緒に前記フレキシブルディスプレイスクリーン１０を支持することができる。
【００３０】
図８と図９に示すように、前記連動部材２２には収容溝２２６が設置され、前記支持ストリップ２６の少なくとも一部の構造が前記収容溝２２６に収容されている。一つの実施例において前記連動部材２２は第一のアーム部２２３と第二のアーム部２２４を接続するための接続部２２５を含み、前記収容溝２２６は接続部２２５に設置される。
【００３１】
図８と図９に示すように、別の実施例では、前記軸スリーブ２４にも収容溝２４１が設置され、前記支持ストリップ２６の少なくとも一部の構造が前記収容溝２４１に収容されている。前記支持ストリップ２６と軸スリーブ２４及び／又は連動部材２２の接続は溶接などの方式で実現されてもよい。
【００３２】
図２０、図２３、図２４と図２５に示すように、前記支持ストリップ２６の上面２６１は、前記フレキシブルディスプレイスクリーン１０に向かい且つアーク面である。前記折り畳み可能移動端末が図２４に示す半折り畳み状態又は図２５に示す折り畳み状態にある場合、支持バ−２６がアーク面を有するため、第一のハウジング３１及び第二のハウジング３２の輪郭曲率が折り畳み過程に急激に変化することを防止することができ、それによってフレキシブルディスプレイスクリーン１０をより良く支持する。
【００３３】
図７、図８と図９に示すように、一つの実施例では、前記第一の回転アセンブリ５０はさらに第一のスライド５１に設置された第一の弾性シート５７を含み、前記第一の弾性シート５７は第一の接続棒５４の第一の端部５４１のスライド方向の２つの限界位置に第一の係合位置５７１が設置される。第一のブラケット５６を有する実施例では、第一の弾性シート５７は第一のブラケット５６によって第一のスライド板５１に固定され、第一の弾性シート５７は第一のブラケット５６内に設置される。
【００３４】
第一の弾性シート５７の２つの第一の係合位置５７１は、第一の回転軸５３での第一の接続棒５４の第一の端部５４１のスライド経路の両端に対応する。第一の係合位置５７１と第一の接棒５４の第一の端部５４１の間にある程度の干渉が形成されるため、第一の係合位置５７１は、第一の接続棒５４の第一の端部５４１に一定のクランプ力を形成し、第一の接続棒５４の第一の端部５４１の位置の任意の変更を防止し、したがって、第一のハウジング３１に対する第一のスライド板５１の位置を安定にすることができ、また、折り畳み移動端末装置を折り畳み状態又は展開状態に安定に維持させることができる。
【００３５】
一つの実施例では、前記第一の接続棒５４の第一の端部５４１上の第一の位置決めカラム５４３は延伸して第一の端部５４１の対向する両側を通り、ここで第一の位置決めカラム５４３の一端が第一のスライドブロック５２上の第一の位置決め孔５２３と係合し、第一の位置決めカラム５４３の他端が第一の弾性シート５７の第一の係合位置５７１に穿設される。第一の係合位置５７１は第一の位置決めカラム５４３を挟んで第一の接続棒５４１に対して一定のクランプ力を形成する。
【００３６】
一つの実施例では、前記第一の弾性シート５７の２つの前記第一の係合位置５７１の間に第一の減衰位置５７２が設置され、第一の接続棒５４の第一の端部５４１が第一の係合位置５７１から第一の減衰位置５７２へスライドする時に抵抗が大きくなる。抵抗の増大は、第一の減衰位置５７２によって第一の位置決めカラム５４３に印加されたクランプ力が第一の係合位置５７１によって第一の位置決めカラム５４３に印加されたクランプ力よりも大きくなることにより実現されてもよい。例えば、第一の弾性シート５７は、一端が開放され、一端が閉鎖されたウエスト形状であってもよく、２つの第一の係合位置５７１は第一の弾性シート５７の両端に形成され、第一の減衰位置５７２は第一の弾性シート５７の中部に形成され、第一の減衰位置５７２内の第一の位置決めカラム５４３が穿設するための隙間が第一の係合位置５７１内の第一の位置決めカラム５４３が穿設するための隙間よりも小さく、そのため第一の係合位置５７１から第一の減衰位置５７２へ通る過程に、第一の接続棒５４への抵抗が大きくなる。このようにして第一の弾性シート５７を設置することにより、折り畳み可能移動端末の第一のハウジング３１と第二のハウジング３２を回転する時に、減衰感をさらに有する。
【００３７】
別のいくつかの実施例では、第一の弾性シート５７はさらに閉ループ形状であってもよい。さらに、いくつかの実施例では、第一の弾性シート５７は２つの分離するストリップ形状であってもよく、２つの分離するストリップ形状の弾性シートの両端が第一のブラケット５６又は他の素子（又は他の形態）で第一のスライド板５１に固定され、第一の回転軸５３に沿う第一の接続棒５４のスライド経路の異なる位置に異なる抵抗を提供することができる。
【００３８】
図９に示すように、前記第一のブラケット５６内に第一の受容キャビティ５６０が設置され、前記第一の弾性シート５７は第一の受容キャビティ５６０に収容される。第一のブラケット５６が第一のスライド板５１に固定された後、第一のスライド板５１は前記第一の受容キャビティ５６０を閉じ、第一の弾性シート５７は第一の受容キャビティ５６０内に固定される
さらに、前記第一の受容キャビティ５６０は第一の弾性シート５７の第一の係合位置５７１に対応する２つの第一の位置決めキャビティ５６１、及び２つの第一の位置決めキャビティ５６１の間に位置する第一の解放キャビティ５６２を含む。第一の解放キャビティ５６２内のスペースが第一の位置決めキャビティ５６１のスペースより大きく、第一の係合位置５７１は第一の位置決めキャビティ５６１に置かれた後、第一の係合位置５７１は固定され、移動できない。２つの第一の係合位置５７１の間に位置する第一の減衰位置５７２は第一の解放キャビティ５６２内に対応して置かれ、第一の解放キャビティ５６２は第一の減衰位置５７２を弾性変形させることができるスペースを有する。
【００３９】
一つの実施例では、前記第二の回転アセンブリ６０はさらに第二のスライド６１に設置された第二の弾性シート６７を含み、前記第二の弾性シート６７は第二の接続棒６４の第一の端部６４１のスライド方向の２つの限界位置に第二の係合位置６７１が設置される。第二のブラケット６６を有する実施例では、第二の弾性シート６７は第二のブラケット６６によって第二のスライド板６１に固定され、第二の弾性シート６７は第二のブラケット６６内に設置される。
【００４０】
第二の弾性シート６７の２つの第二の係合位置６７１は、第二の回転軸６３での第二の接続棒６４の第一の端部６４１のスライド経路の両端に対応する。第二の係合位置６７１と第二の接棒６４の第一の端部６４１の間にある程度の干渉が形成されるため、第二の係合位置６７１は、第二の接続棒６４の第一の端部６４１に一定のクランプ力を形成し、第二の接続棒６４の第一の端部５４１の位置の任意の変更を防止し、したがって、第二のハウジング３２に対する第二のスライド板６１の位置を安定にすることができ、また、折り畳み移動端末装置を折り畳み状態又は展開状態に安定に維持させることができる。
【００４１】
一つの実施例では、前記第二の接続棒６４の第一の端部６４１上の第二の位置決めカラム６４３は延伸して第一の端部６４１の対向する両側を通り、ここで第二の位置決めカラム６４３の一端が第二のスライドブロック６２上の第二の位置決め孔６２３と係合し、第二の位置決めカラム６４３の他端が第二の弾性シート６７の第二の係合位置６７１に穿設される。第二の係合位置６７１は第二の位置決めカラム６４３を挟んで第二の接続棒５４１に対して一定のクランプ力を形成する。
【００４２】
同時に図４、図５と図２１、図２２を参照すると、図５に折り畳み機構２０が展開状態にあることを示し、第二の接続棒６４の第一の端部６４１に形成された第二の位置決めカラム６４３がその中の一つの第二の係合位置６７１に穿設され、図２２に折り畳み機構２０が折り畳み状態にあることを示し、第二の接続棒６４の第一の端部６４１に形成された第二の位置決めカラム６４３がもう一つの第二の係合位置６７１に穿設される。
【００４３】
一つの実施例では、前記第二の弾性シート６７の２つの前記第二の係合位置６７１の間に第二の減衰位置６７２が設置され、第二の接続棒６４の第一の端部６４１が第二の係合位置６７１から第二の減衰位置６７２へスライドする時に抵抗が大きくなる。抵抗の増大は、第二の減衰位置６７２によって第二の位置決めカラム６４３に印加されたクランプ力が第二の係合位置６７１によって第二の位置決めカラム６４３に印加されたクランプ力よりも大きくなることにより実現されてもよい。例えば、第二の弾性シート６７は、一端が開放され、一端が閉鎖されたウエスト形状であってもよく、２つの第二の係合位置６７１は第二の弾性シート６７の両端に形成され、第二の減衰位置６７２は第二の弾性シート６７の中部に形成され、第二の減衰位置６７２内の第二の位置決めカラム６４３が穿設するための隙間が第二の係合位置６７１内の第二の位置決めカラム６４３が穿設するための隙間よりも小さく、そのため第二の係合位置６７１から第二の減衰位置６７２へ通る過程に、第二の接続棒６４への抵抗が大きくなる。このようにして第二の弾性シート６７を設置することにより、折り畳み可能移動端末の第一のハウジング３１と第二のハウジング３２を回転する時に、減衰感をより有する。
【００４４】
別のいくつかの実施例では、第二の弾性シート６７はさらに閉ループ形状であってもよい。さらに、いくつかの実施例では、第二の弾性シート６７は２つの分離するストリップ形状であってもよく、２つの分離するストリップ形状の弾性シートの両端が第二のブラケット６６又は他の素子（又は他の形態）で第二のスライド板６１に固定され、第二の回転軸６３に沿う第二の接続棒６４のスライド経路の異なる位置に異なる抵抗を提供することができる。
【００４５】
図９に示すように、前記第二のブラケット６６内に第二の受容キャビティ６６０が設置され、前記第二の弾性シート６７は第二の受容キャビティ６６０に収容される。第二のブラケット６６が第二のスライド板６１に固定された後、第二のスライド板６１は前記第二の受容キャビティ６６０を閉じ、第二の弾性シート６７は第二の受容キャビティ６６０内に固定される
さらに、前記第二の受容キャビティ６６０は第二の弾性シート６７の第二の係合位置６７１に対応する２つの第二の位置決めキャビティ６６１、及び２つの第二の位置決めキャビティ６６１の間に位置する第二の解放キャビティ６６２を含む。第二の解放キャビティ６６２内のスペースが第二の位置決めキャビティ６６１のスペースよりも大きく、第二の係合位置６７１が第二の位置決めキャビティ６６１に置かれた後、第二の係合位置６７１は固定され、移動できない。２つの第二の係合位置６７１の間に位置する第二の減衰位置６７２は第二の解放キャビティ６６２内に対応して置かれ、第二の解放キャビティ６６２は第二の減衰位置６７２を弾性変形させることができるスペースを有する。
【００４６】
同時に図１０、図１１と図１２を参照すると、一つの実施例では、前記折り畳み可能移動端末はさらに接続シート７０と２つの押圧ブロック７１をさらに備え、前記接続シート７０が第一の回転アセンブリ５０と第二の回転アセンブリ６０に横たわり、且つ接続シート７０の両端がそれぞれ押圧ブロック７１によって相対的にスライドして第一のハウジング３１及び第２のハウジング３２に接続される。第一のハウジング３１と第二のハウジング３２の回転中に生じる長さの違いの変化は折り畳み機構２０の第一の回転アセンブリ５０と第二の回転アセンブリ６０がそれぞれ第一のハウジング３１と第２のハウジング３２に対してスライド及び伸縮することにより吸収されてもよく、これにより、折り畳み可能移動端末は折り畳み及び展開過程に外観が均一かつ完全であり、接続シート７０を設置することにより、第一のハウジング３１、第二のハウジング３２が過度に引き伸ばされることを防止し、フレキシブルディスプレイスクリーン１０が引き伸ばされて損傷が生じることを回避することができる。
【００４７】
同時に図１６を参照すると、前記接続シート７０の第一の端部７０１に第一の長穴７０３が設置され、接続シート７０の第二の端部７０２に第二の長穴７０４が設置され、前記押圧ブロック７１が第一の長穴７０３を貫通して第一のハウジング３１に固定して接続され、別の前記押圧ブロック７１が第二の長穴７０４を貫通して第二のハウジング３２に固定して接続される。第一の回転アセンブリ５０が第一のハウジング３１に対して伸縮し、第二の回転アセンブリ６０が第二のハウジング３２に対して伸縮する場合、前記接続シート７０は第一の長穴７０３、第二の長穴７０４の延伸方向に沿って押圧ブロック７１に対して移動し、即ち第一のハウジング３１、第二のハウジング３２に対して移動する。図１２に示すように、折り畳み可能移動端末が展開状態にある場合、接続シート７０の第一の長穴７０３、第二の長穴７０４の外端、即ち第一の回転アセンブリ５０、第二の回転アセンブリ６０からそれぞれ離れる一端が第一のハウジング３１、第二のハウジング３２に当接するため、第一のハウジング３１、第二のハウジング３２は相対的に離れ続けることができなく、第一のハウジング３１、第二のハウジング３２が過度に引き伸ばされることを防止する。折り畳み過程に、第一の長穴７０３、第二の長穴７０４が第一のハウジング３１、第二のハウジング３２に対してスライドスペースを有するため、接続シート７０は第一のハウジング３１、第二のハウジング３２に対して相対的にスライドし、折り畳み過程にける第一のハウジング３１、第二のハウジング３２の長さの変化に適応することができる。
【００４８】
前記接続シート７０は第一の端部７０１と第二の端部７０２に位置する２つの接続部７０５、及び２つの接続部７０５の間に接続された支持部７０６を含み、前記接続部７０５が押圧ブロック７１との接続に用いられ、前記支持部７０６がフレキシブルディスプレイスクリーン１０の支持に用いられる。
【００４９】
押圧ブロック７１はネジなどの留め具であってもよく、第一の長穴７０３、第二の長穴７０４を貫通した後、接続シート７０を第一のハウジング３１と第二のハウジング３２に接続する。一つの実施例では、押圧ブロック７１は方形ブロック状であり、接続シート７０の第一の端部７０１と第二の端部７０２に押圧され、その後、別の留め具によって押圧ブロック７１及び第一の長穴７０３、第二の長穴７０４を貫通し、第一のハウジング３１、第二のハウジング３２にロックされる。例えば、第一のフロントハウジング３１１に第一の嵌合位置３１４が形成され、押圧ブロック７１は接続シート７０の第一の端部７０１を第一のハウジング３１１の第一の嵌合位置３１４にスライドして接続する。それに対応して、第二のフロントハウジング３２１に第二の嵌合位置３２４が形成され、別の押圧ブロック７１は接続シート７０の第二の端部７０２を第二のハウジング３２１の第二の嵌合位置３２４にスライドして接続する。
【００５０】
いくつかの実施例では、前記支持部７０６は２つの接続部７０５の接続位置に曲げ部が形成される。図１２に示すように、第一の嵌合位置３１４と第二の嵌合位置３２４に凹部が形成されて、接続シート７０上の曲げ部とマッチングし、同時に対応する押圧ブロック７１の収容に用いられる。
【００５１】
前記接続シート７０に相互に離間した貫通孔７００が設置されている。いくつかの実施例では、貫通孔７００は支持部７０６に設置され、これらの貫通孔７００により、接続シート７０はより容易に曲げ、接続シート７０は第一の回転アセンブリ５０と第二の回転アセンブリ６０により良く貼り付け、接続シート７０がしわになり、フレキシブルディスプレイスクリーン１０に対する支持効果に影響を及ぼすことが回避される。
【００５２】
いくつかの実施例では、前記支持部７０６には、前記支持ストリップ２６に接続された固定構造７０７が設置される。固定構造７０７は溶接穴であってもよく、接続シート７０は支持ストリップ２６を跨いだ後、溶接により支持ストリップ２６に固定して接続されてもよい。
【００５３】
一つの実施例では、接続シート７０が２つであり、他の実施例における接続シート７０の数が需要に応じて増減できることが理解できる。
【００５４】
図１０、図１１を参照すると、一つの実施例では、前記折り畳み可能移動端末はさらに装飾ブロック７２を備え、装飾ブロック７２が折り畳み機構２０のＺ軸方向の両端に配置され、且つ第一のハウジング３１と第二のハウジング３２の間の隙間に位置し、折り畳み機構２０の端部構造を遮蔽して外観への露出の影響を回避することに用いられる。
【００５５】
同時に図１１、図１３、図１４を参照すると、第一のフロントハウジング３１１に第一の接続位置３１５が設置され、第二のフロントハウジング３２１に第二の接続位置３２５が設置され、装飾ブロック７２は第一のフロントハウジング３１１の第一の接続位置３１５、第二のフロントハウジング３２１の第二の接続位置３２５と接続を形成し、そして第一のスライド板５１と第二のスライド板６１のＺ軸方向の両端に位置する。
【００５６】
同時に図１７と図１８を参照すると、フレキシブルディスプレイスクリーン１０の搭載が容易になるように、前記装飾ブロック７２のフレキシブルディスプレイスクリーン１０に向かう側面がほぼ平坦である。前記装飾ブロック７２のフレキシブルディスプレイスクリーン１０から離れて面する側面に第一のフロントハウジング３１１、第二のハウジング３２１との接続構造、例えば突起カラム７２１が形成される。前記装飾ブロック７２のフレキシブルディスプレイスクリーン１０から離れて面する側面にも複数のリブ７２２が形成される。折り畳み可能移動端末が展開状態にある場合、前記装飾ブロック７２は自然展開状態にあり、隣接する２つのリブ７２２の間の間隔は、フレキシブルディスプレイスクリーン１０から離れる方向に徐々に増加する。装飾ブロック７２が曲げる場合、即ち折り畳み可能移動端末が折り畳み状態にある場合、隣接するリブ７２２は相互に貼り付ける。図１０と図１１に示すように、前記第一のハウジング３１には離間したギャップ３１６が形成されている。一つの実施例では、図１４と図１５に示すように、前記第一のギャップ３１６は第一のフロントハウジング３１１の第一の回転アセンブリ５０に近い一側に設置される。前記第一のスライド板５１には第一のハウジング３１の第一のギャップ３１６に対応する第一の歯５１１が設置される。前記折り畳み可能移動端末は折り畳みと展開状態の間に切り替えする場合、前記第一のスライド板５１は第一のハウジング３１内に異なる程度で収容される。第一のハウジング３１と第一のスライド板５１に対応する歯とギャップを設置することにより、第一のハウジング３１及び第一のスライド板５１の間に形成された空き面積が減少し、これによりフレキシブルディスプレイスクリーン１０をより安定に支持し、フレキシブルディスプレイスクリーン１０の一部が力を受けて変形して機能が損壊されることを回避する。
【００５７】
一つの実施例では、図４と図６に示すように、前記第一のスライド板５１は第一の基板５１０を含み、第一の基板５１０に前記第一の歯５１１が形成される。前記第一の基板５１０は第一のフロントハウジング３１１と第一のリアハウジング３１２の間に位置し、そして第一のフロントハウジング３１１と第一のリアハウジング３１２の間にスライド及び伸縮することができる。第一の歯５１１と第一のフロントハウジング３１１が同一の面に位置し、該面がＸＺ軸で定義された面に平行である。第一の歯５１１と第一のフロントハウジング３１１が同一の面に位置し、フレキシブルディスプレイスクリーン１０を共同で支持することに用いられる。
【００５８】
理解すべきものとして、第一のスライド板５１の隣接する２つの第一の歯５１１の間にも対応する第一のギャップが形成され、第一のフロントハウジング３１１の隣接する２つの第一のギャップ３１６の間にも対応する第一の歯が形成される。第一のスライド板５１の第一の歯５１１が第一のフロントハウジング３１１上の第一のギャップ３１６に対応し、第一のスライド板５１の第一のギャップが第一のフロントハウジング３１１の第一の歯に対応する。
【００５９】
前記第二のハウジング３２には離間した第二のギャップ３２６が設置される。一つの実施例では、図１４と図１５に示すように、前記第二のギャップ３２６は第二のフロントハウジング３２１の第二の回転アセンブリ６０に近い一側に設置される。前記第二のスライド板６１には第二のハウジング３２の第二のギャップ３２６に対応する第二の歯６１１が設置される。前記折り畳み可能移動端末は折り畳みと展開状態の間に切り替えする場合、前記第二のスライド板６１は第二のハウジング３２内に異なる程度で収容される。第二のハウジング３２と第二のスライド板６１に対応する歯とギャップを設置することにより、第二のハウジング３２及び第二のスライド板６１の間に形成された空き面積が減少し、これによりフレキシブルディスプレイスクリーン１０をより安定に支持し、フレキシブルディスプレイスクリーン１０の一部が力を受けて変形して機能が損壊されることを回避することができる。
【００６０】
一つの実施例では、図４と図６に示すように、前記第二のスライド板６１は第二の基板６１０を含み、前記第二の歯６１１は第二の基板６１０に形成される。前記第二の基板６１０は第二のフロントハウジング３２１と第二のリアハウジング３２２の間に位置し、そして第二のフロントハウジング３２１と第二のリアハウジング３２２の間にスライド及び伸縮することができる。第二の歯６１１と第二のフロントハウジング３２１が同一の面に位置し、該面がＸＺ軸で定義された面に平行であり、フレキシブルディスプレイスクリーン１０を共同で支持することに用いられる。
【００６１】
理解すべきものとして、第二のスライド板６１の隣接する２つの第二の歯６１１の間にも対応する第二のギャップが形成され、第二のフロントハウジング３２１の隣接する２つの第二のギャップ３２６の間にも対応する第二の歯が形成される。第二のスライド板６１の第二の歯６１１が第二のフロントハウジング３２１上の第二のギャップ３２６に対応し、第二のスライド板６１の第二のギャップが第二のフロントハウジング３２１の第二の歯に対応する。
【００６２】
図４に示すように、前記第一のスライド板５１の第一の歯５１１と第二のスライド板６１の第二の歯６１１の間に隙間５１２があり、前記支持ストリップ２６は少なくとも部分的に前記隙間５１２内に充填される。
【００６３】
図４と図６に示すように、前記第一のスライド板５１の第一の歯５１１の第一のハウジング３１から遠く離れた一端が相互に接続して第一の支持ビーム５１３を形成し、前記第二のスライド板６１の第二の歯６１１の第二のハウジング３２から遠く離れた一端が相互に接続して第二の支持ビーム６１３を形成し、前記支持ストリップ２６は少なくとも部分的に第一の支持ビーム５１３と第二の支持ビーム６１３に置かれる。
【００６４】
図１３に示すように、前記折り畳み可能移動端末はさらに第一のローラ５８と第一のバネ５９を備え、第一のローラ５８と第一のバネ５９が第一の回転アセンブリ５０と第一のハウジング３１の間に設置され、前記第一の回転アセンブリ５０に第一の凹溝５１４が設置され、第一の回転アセンブリ５０が第一のハウジング３１に対してスライド及び伸縮する場合、第一のローラ５８は前記第一の凹溝５１４に入り又はそれから離脱することができ、これにより、折り畳み可能移動端末は所定の位置に折り畳まれるように感じる。
【００６５】
いくつかの実施例では、第一のローラ５８と第一のバネ５９は第一のスライド板５１と第一のリアハウジング３１２の間に設置されてもよい。別のいくつかの実施例では、第一のローラ５８と第一のバネ５９は第一のスライド板５１と第一のフロントハウジング３１１の間に設置されてもよい。図４と図１３に示す実施例では、前記第一の凹溝５１４は第一のスライド板５１の第一の歯５１１の側壁に形成され、そして前記第一の凹溝５１４は第一の基板５１０の隣接する第一の歯５１１に向かう。
【００６６】
図１３と図１５に示すように、前記第一のギャップ３１６には対応する第一の歯５１１から離れて凹んで第一のキャビティ３１７が形成され、前記第一のローラ５８と第一のバネ５９は前記第一のキャビティ３１７に収容される。第一のバネ５９は第一のローラ５８に当接して第一のローラ５８の少なくとも一部をキャビティ３１７から露出させ、それによって第一のローラ５８を第一の歯５１１の側壁に弾性的に当接させる。
【００６７】
さらに、前記第一の凹溝５１４を形成する前記第一の歯５１１の第一のハウジング３１に向かう延伸長さが他の第一の歯５１１の第一のハウジング３１に向かう延伸長さよりも大きい。
【００６８】
いくつかの実施例では、前記第一のローラ５８と第一のバネ５９は少なくとも２つのグループ含まれ、前記第一の歯５１１の対向する側壁には前記第一のローラ５８とマッチングする第一の凹溝５１４が形成される。それに対応して、前記第一のギャップ３１６には対応する第一の歯５１１から離れて凹んで第一のキャビティ３１７が形成され、各第一のキャビティ３１７は一つのグループの第一のローラ５８と第一のバネ５９を収容することに用いられる。
【００６９】
いくつかの実施例では、前記第一の歯５１１の前記側壁の、第一のスライド板５１に対応する２つの限界位置に２つの第一の凹溝５１４が形成される。例えばそのうちの一つの限界位置が第一の歯５１１の第一のハウジング３１に近い端部に位置し、別の限界位置が第一の歯５１１と第一のビーム５１３の接合位置に位置する。折り畳み可能移動端末が折り畳みと展開状態にある場合、第一のローラ５８がそれぞれ２つの限界位置に位置する第一の凹溝５１４に入り、それによって所定の位置に展開又は折り畳むように感じる。
【００７０】
前記折り畳み可能移動端末はさらに第二のローラ６８と第二のバネ６９を備え、第二のローラ６８と第二のバネ６９が第二の回転アセンブリ６０と第二のハウジング３２の間に設置され、前記第二の回転アセンブリ６０に第二の凹溝６１４が設置され、第二の回転アセンブリ６０が第二のハウジング３２に対してスライド及び伸縮する場合、第二のローラ６８は前記第二の凹溝６１４に入り又はそれから離脱することができ、これにより、折り畳み可能移動端末は所定の位置に折り畳まれるように感じる。
【００７１】
いくつかの実施例では、第二のローラ６８と第二のバネ６９は第二のスライド板６１と第二のリアハウジング３２２の間に設置されてもよい。別のいくつかの実施例では、第二のローラ６８と第二のバネ６９は第二のスライド板６１と第二のフロントハウジング３２２の間に設置されてもよい。図４と図１３に示す実施例では、前記第二の凹溝６１４は第二のスライド板６１の第二の歯６１１の側壁に形成され、そして前記第二の凹溝６１４は第二の基板６１０の隣接する第二の歯６１１に向かう。
【００７２】
図１３と図１５に示すように、前記第二のギャップ３２６には対応する第二の歯６１１から離れて凹んで第二のキャビティ３２７が形成され、前記第二のローラ６８と第二のバネ６９は前記第二のキャビティ３２７に収容される。第二のバネ６９は第二のローラ６８に当接して第二のローラ６８の少なくとも一部をキャビティ３２７から露出させ、それによって第二のローラ６８を第二の歯６１１の側壁に弾性的に当接させる。
【００７３】
さらに、前記第二の凹溝６１４を形成する前記第二の歯６１１の第二のハウジング３２に向かう延伸長さが他の第二の歯６１１の第二のハウジング３２に向かう延伸長さよりも大きい。
【００７４】
いくつかの実施例では、前記第二のローラ６８と第二のバネ６９は少なくとも２つのグループ含まれ、前記第二の歯６１１の対向する側壁には前記第二のローラ６８とマッチングする第二の凹溝６１４が形成される。それに対応して、前記第二のギャップ３２６には対応する第二の歯６１１から離れて凹んで第二のキャビティ３２７が形成され、各第二のキャビティ３２７は一つのグループの第二のローラ６８と第二のバネ６９を収容することに用いられる。
【００７５】
いくつかの実施例では、前記第二の歯６１１の前記側壁の、第二のスライド板６１に対応する２つの限界位置に２つの第二の凹溝６１４が形成される。例えばそのうちの一つの限界位置が第二の歯６１１の第二のハウジング３２に近い端部に位置し、別の限界位置が第二の歯６１１と第二のビーム６１３の接合位置に位置する。折り畳み可能移動端末が折り畳みと展開状態にある場合、第一のローラ６８はそれぞれ２つの限界位置に位置する第一の凹溝６１４に入り、それによって所定の位置に展開又は折り畳むように感じる。
【００７６】
上記実施例の様々な技術的特徴が任意に組合わせられてもよく、説明を簡単にするために、上記実施例の各技術的特徴の全ての可能な組み合わせを説明しないが、これらの技術的特徴の組み合わせが矛盾しない限り、本明細書に記載される範囲と見なされるべきである。
【００７７】
上記実施例は本出願のいくつかの実施形態のみを示し、その説明がより具体的かつ詳細であるが、故に本発明の特許範囲を限定するものとして理解されるべきではない。当業者にとって、本発明の考えを逸脱しない前提で、いくつかの修正と変更を行うことができ、これらの修正と変更が全て本発明の保護範囲に属することは指摘すべきである。したがって、本発明の特許の保護範囲は添付の特許請求の範囲に準じるべきである。
【図１】
0006776460.tif 000002
【図２】
0006776460.tif 000003
【図３】
0006776460.tif 000004
【図４】
0006776460.tif 000005
【図５】
0006776460.tif 000006
【図６】
0006776460.tif 000007
【図７】
0006776460.tif 000008
【図８】
0006776460.tif 000009
【図９】
0006776460.tif 000010
【図１０】
0006776460.tif 000011
【図１１】
0006776460.tif 000012
【図１２】
0006776460.tif 000013
【図１３】
0006776460.tif 000014
【図１４】
0006776460.tif 000015
【図１５】
0006776460.tif 000016
【図１６】
0006776460.tif 000017
【図１７】
0006776460.tif 000018
【図１８】
0006776460.tif 000019
【図１９】
0006776460.tif 000020
【図２０】
0006776460.tif 000021
【図２１】
0006776460.tif 000022
【図２２】
0006776460.tif 000023
【図２３】
0006776460.tif 000024
【図２４】
0006776460.tif 000025
【図２５】
0006776460.tif 000026